(57)【要約】【課題】結露を防止するに最適なスリムなＩＨクッキングヒータ用のレンジフードを提供する。【解決手段】フード体１外に排気手段２を設置し、フード体１を薄型に形成し、該フード体１を、その下面の開放部を閉塞するように調理による汚染空気捕獲用の凹窪部２１を設けて構成し、該フード体１の開放縁から乾燥用の風の流れＦ及び乾燥促進用の風の流れＨを、前記凹窪部２１の凹面２１ｂに沿うように送り出してその凹面２１ｂに接触させながら同凹窪部２１に臨んで設けたフィルタ４１に導かれるように構成して、凹窪部２１の内面に沿ってフィルタ４１に導かれるその乾燥用の風の流れＦ及び乾燥促進用の風の流れＨでその凹窪部２１内面及びフィルタ４１での結露を防止する。【選択図】図１
2005214584.tif 000002
【特許請求の範囲】
【請求項１】
フード体の開放縁部分から風をフード体内に向けて送り出すことを特徴とするＩＨクッキングヒータ用のレンジフード。
【請求項２】
前記風が乾燥用の風であることを特徴とする請求項１記載のＩＨクッキングヒータ用のレンジフード。
【請求項３】
フード体外に排気手段を設置し、該フード体を薄型に形成し、該フード体を、その下面の開放部を閉塞するように調理による汚染空気捕獲用の凹窪部を設けると共にその凹窪部に前記排気手段の吸込口部材を設けて構成し、該フード体の開放縁から乾燥用の風を、前記凹窪部の凹面に沿うように送り出して凹窪部のその凹面に接触させながら吸込口部材に導かれるように構成していることを特徴とするＩＨクッキングヒータ用のレンジフード。
【請求項４】
前記吸引口部材が凹窪部に臨んで設けたフィルタであることを特徴とする請求項３記載のＩＨクッキングヒータ用のレンジフード。
【請求項５】
前記乾燥用の風の送り出し部と、吸込口部材との間から凹窪部の凹面に沿うように乾燥促進用の風を送り出すことを特徴とする請求項３または４記載のＩＨクッキングヒータ用のレンジフード。
【請求項６】
前記凹窪部の側周面と底面とのコーナーに乾燥用の風を、逆圧をかけることなく吸込口部材に導く緩やかなガイド曲面を形成していることを特徴とする請求項５記載のＩＨクッキングヒータ用のレンジフード。
【請求項７】
前記ガイド曲面に連続して吸込口部材を配設していることを特徴とする請求項６記載のＩＨクッキングヒータ用のレンジフード。
【請求項８】
前記凹窪部縁との間に吸込間隙を確保するように整流板を配設し、該フード体の開放縁部分から整流板に向けて乾燥用の風を送り出すことを特徴とする請求項７記載のＩＨクッキングヒータ用のレンジフード。
【請求項９】
前記フード体の開放縁部分から、下方に向けて横風干渉防止用の風を送り出すことを特徴とする請求項７記載のＩＨクッキングヒータ用のレンジフード。
【請求項１０】
前記凹窪部背後のフード体内にチャンバーを形成し、該チャンバーから、前記凹窪部内に向けて乾燥用の風を送り出すことを特徴とする請求項７記載のＩＨクッキングヒータ用のレンジフード。
【請求項１１】
前記凹窪部背後のフード体内にチャンバーを形成し、該チャンバーから、前記凹窪部内に向けて乾燥用の風、乾燥促進用の風を送り出すことを特徴とする請求項７記載のＩＨクッキングヒータ用のレンジフード。
【請求項１２】
前記凹窪部背後のフード体内にチャンバーを形成し、該チャンバーから、前記凹窪部内に向けての乾燥用の風と、乾燥促進用の風と、横風干渉防止用の風とを送り出すように構成して、前記チャンバーを送風源との共通連絡路にしていることを特徴とする請求項９記載のＩＨクッキングヒータ用のレンジフード。
【請求項１３】
前記凹窪部背後のフード体内にチャンバーを形成し、該チャンバーから、前記凹窪部内に向けての乾燥用の風と、乾燥促進用の風と、整流板に向けての乾燥用の風と、更に下方に向けての横風干渉防止用の風とを送り出すように構成して、前記チャンバーを送風源との共通連絡路にしていることを特徴とする請求項８記載のＩＨクッキングヒータ用のレンジフード。
【請求項１４】
前記乾燥用の風が加熱風であることを特徴とする請求項１〜１３いずれか１項記載のＩＨクッキングヒータ用のレンジフード。
【請求項１５】
前記前記乾燥用の風が除湿された風であることを特徴とする請求項１〜１３いずれか１項記載のＩＨクッキングヒータ用のレンジフード。
【発明の詳細な説明】
【技術分野】
【０００１】
本発明は、燃焼ガスを発生しないＩＨクッキングヒータからの汚染空気を吸い込んで排気するＩＨクッキングヒータ用のレンジフードに関するものである。
【背景技術】
【０００２】
従来、ＩＨクッキングヒータ用のレンジフードは、開放部を有するフード体の背部から平面視コの字状の誘動流吹き出し管を高さ調節可能に垂設することによって、その誘動流吹き出し管から誘動流を上方に吹き出して、その誘動流で上昇気流を生じない汚染空気をフード体内に誘動し、尚且つフード体内を結露が生じない雰囲気にするものが知られている（例えば特許文献１）。
【０００３】
ところで、ガス燃焼器具や電気コンロを使用した場合は上昇気流の熱によりフード体内面やフィルタを含むその上流側の部材を暖めるため、結露が発生しない。
しかしながら、前記するＩＨクッキングヒータを使用した場合では上昇気流がないため、フード体内面等に結露が生じることとなる。
その結果、結露水が調理中に滴下して、ヒータ、調理容器、更には調理中の料理をも汚す現実がある。
このような現実下のために、先行技術ではフード体の背部から高さ調節可能な平面視コの字状の誘動流吹き出し管から誘動流を上方に吹き出して、その誘動流でフード体内を結露が生じない雰囲気にしている。
しかしながら、このような構成のＩＨクッキングヒータ用のレンジフードでは加熱調理時に発生する汚染空気を効果的に誘動するために誘動流吹き出し管を出きるだけ下方に位置させた状態で使用される。
そのため、その誘動流が上昇に伴ってフード体外に拡散されてしまい、結露防止に好適なものとは言い難いものであった。
【０００４】
また、今日、欧米スタイルを取り入れた様々なキッチンレイアウトが提案されており、それに調和するデザイン性を重視したシステムキッチンが多く登場している。これらのシステムキッチンに組み込まれるレンジフードにもこれらにマッチするデザイン性を考慮したものが望まれており、最近では調理により発生した汚染空気の捕獲に最も影響を及ぼすフード体部分を非常に薄型にしたスリムタイプのレンジフードが切望されている。
そしてＩＨクッキングヒータは、燃焼ガスや上昇気流を発生させないことから、敢えて深い捕獲空間を設けずとも浅い捕獲空間でも汚染空気を捕獲することができるので、その要望に合致するし、浅い捕獲空間を有し、外部に排気手段を設置した薄型（スリム）なレンジフードにあっては、デザインの自由度が拡大し、顧客のニーズに応じる自在性を持たせることが可能となる。
現実的には、深い捕獲空間を必要とするレンジフードや排気装置をフード体内に設置するＩＨクッキングヒータ用のレンジフードが提供されており、フード体として斬新なデザインが実施できないという問題を惹き起こすばかりでなく、無粋にもなっている。
【特許文献１】特開２００２−１６８４９６号公報
【発明の開示】
【発明が解決しようとする課題】
【０００５】
本発明が上記従来事情に鑑みてなされたものでは、その目的とする処は、結露を防止するに最適なＩＨクッキングヒータ用のレンジフードを提供することにある。
他の目的とする処は、スリムなＩＨクッキングヒータ用のレンジフードを提供することにある。
【課題を解決するための手段】
【０００６】
前記課題を解決するために講じた技術的手段は、フード体の開放縁部分から風をフード体内に向けて送り出すことを特徴とするＩＨクッキングヒータ用のレンジフードである（請求項１）。
前記風は、乾燥用の風であり（請求項２）、またフード体の排気手段への吸込口方向に向けて乾燥用の風を送り出すのが汚染空気をフード体に誘動する流れを生成する上で好ましいものである。
また、その風は、フード体の開放縁部分の左右両縁または三縁或いは四縁からフード体に内向きに送り出すのが好適なものである。
即ち、フード体の開放縁部分に設けた風の送り出し部に連続して送風源との連絡部（空気路やチャンバー等）をフード体内に設け、その連絡部を介して圧送されるエアーをその送り出し部からフード体内に向けて送り出す構成にするのが好ましいものである。
そして、フード体は、平型、ブーツ型等の形態に制限されるものではないものである。
【０００７】
以上の手段によれば、結露防止の対象物であるフード体のその下端縁である開放縁部分から直接フード体に向けて送り出される風がフード体内の面の温度を上昇させると共に湯気の付着を回避する境界層をその面との間に形成して結露を防止する。
【０００８】
そして、フード体外に排気手段を設置し、該フード体を薄型に形成し、該フード体を、その下面の開放部を閉塞するように調理による汚染空気捕獲用の凹窪部を設けて構成し、該フード体の開放縁から乾燥用の風を、前記凹窪部の凹面に沿うように送り出して凹窪部のその凹面に接触させながら同凹窪部に臨んで設けた吸引口部材に導かれるように構成していると、有効なものである（請求項３）。
その吸引口部材は、請求項４記載のようにフィルタや、排気手段が視野に入らないように吸込口を覆う目隠し板（格子枠や比較的大きなスリットを複数有する板等）である。
【０００９】
以上の手段によれば、凹窪部の内面に沿って吸込口部材に導かれる乾燥用の風でその凹窪部内面の温度上昇を図って、その凹窪部内面に湯気を接触させずに排気する。
【００１０】
また、乾燥用の風の送り出し部と、吸込口部材との間から凹窪部の凹面に沿うように乾燥促進用の風を送り出すようにすると、より好適なものとなる（請求項５）。
この乾燥促進用の風は、少なくとも吸込口部材の左右辺、三辺、四辺全長もしくはほぼ全長から吸込口部材に到達するように送り出するのが好ましいものである。
そして、乾燥用の風と同様にその凹窪部に設けた送り出し部に連続して送風源との連絡部（空気路やチャンバー等）をフード体内に設け、その連絡部を介して圧送されるエアーを送り出す構成にするのが好ましいものである。
【００１１】
以上の手段によれば、凹窪部内面に沿う乾燥用の風そのものの流れをこの乾燥促進用の風の流れで促進させて、凹窪部内面全体の温度上昇及び境界層の形成を確実にする。
【００１２】
また、凹窪部の側周面と底面とのコーナーを吸込口部材に導く緩やかなガイド曲面を形成していると、汚染空気に逆圧をかけず（請求項６）、またそのガイド曲面に連続して吸込口部材を配していると、吸込口部材に乾燥用の風をより確実に供給でき（請求項７）、共に好適なものである。
【００１３】
そして、凹窪部縁との間に吸込間隙を確保するように整流板を配設し、該フード体の開放縁部分から整流板に向けて乾燥用の風を送り出すようにすると、整流板を有するタイプのレンジフードにおいても、その整流板での結露を防止できることになる（請求項８）。
ここで、整流板は凹窪部縁との間に吸込間隙を残置して配設されることから、その吸込間隙を整流板の四周に確保した場合には、整流板に向けて送り出される乾燥用の風は、その吸込間隙で流速を速めて吸引される汚染空気に引き寄せられて、整流板に至らない虞れがある。そのため、汚染空気量が比較的少ない整流板後縁側に吸込間隙を設けず、その整流板後縁側に対応するフード体の後縁長さ方向から整流板に向けて乾燥用の風を送り出すようにするのが好ましいものである。
【００１４】
そしてフード体の開放縁部分から、下方に向けて横風干渉防止用の風を送り出すようにしたり（請求項９）、前記凹窪部背後のフード体内にチャンバーを形成し、該チャンバーから、前記凹窪部内に向けて乾燥用の風を送り出すようにしたり（請求項１０）、該チャンバーから、前記凹窪部に向けて乾燥用の風と、乾燥促進用の風を送り出すようにしたり（請求項１１）、更には該チャンバーから、前記凹窪部に向けての乾燥用の風と、乾燥促進用の風と、下方に向けての横風干渉防止用の風とを送り出すように構成したり（請求項１２）、そのチャンバーから、凹窪部に向けての乾燥用の風と、乾燥促進用の風と、整流板に向けての乾燥用の風と、更に下方に向けての横風干渉防止用の風とを送り出すように構成して、前記チャンバーを送風源との共通連絡路にしていると、好適なものであるし（請求項１３）。前記乾燥用の風が加熱風であったり、除湿された風であると、結露の発生をより効率的に防止することができる（請求項１４、１５）。
前記する風（乾燥風）は、少なくとも調理で発生する水蒸気を含んだ汚染空気よりも湿度の低い空気を意味し、室内の空気や屋外の空気を吸引して送り出し、それを送り出す前段階で加熱したり、除湿すると更に乾燥用の風として最適なものとなる。
【発明の効果】
【００１５】
本発明は以上のように構成したから、送り出される風（乾燥用の風）がフード体外に漏洩したり、拡散することなく全てフード体内に送り出されてフード体内面の温度を上昇させ、湯気の付着を阻止する境界層を形成するので、結露を確実に防止することができる。
また、その風も、フード体の排気手段への吸込口方向に向けて送り出すようにすると、汚染空気をフード体に効果的に誘動するので、汚染空気の外部への拡散の防止にも寄与できる（請求項１、２）。
【００１６】
その乾燥用の風を、汚染空気捕獲用の凹窪部の内面に沿うように送り出して凹窪部のその内面に接触させながら同凹窪部に臨んで設けた吸込口部材に導かれるように構成しているので、主に湯気が付着する凹窪部の内面の結露を防止することができる（請求項３）。
しかも、排気手段を外部に配しているため、フード体として薄型で、斬新なデザインが実施可能となり、デザインの自由度が拡大し、顧客にニーズに応じるデザイン上の自在性を持たせることができる。
【００１７】
また、乾燥用の風の送り出し部と、吸込口部材との間から凹窪部の凹面に沿うように乾燥促進用の風を送り出すようにしていると、凹窪部内面に沿う乾燥用の風そのものの流れをこの乾燥促進用の風の流れで促進させて、凹窪部内面全体の温度上昇及び境界層の形成を確実にして、最適な結露防止を効果を達成できる。
【００１８】
その凹窪部の側周面と底面とのコーナーを緩やかなガイド曲面で形成していると、汚染空気の上昇を阻害する逆圧をかけることなく、スムースにその促進した乾燥用の風の流れと共に汚染空気を排気することができる（請求項６）。
その上、そのガイド曲面に連続する吸込口部材配置にすると、その促進された乾燥用の風の流れで、吸込口部材での結露を確実に防止できる（請求項７）。
【００１９】
そして、整流板を有するレンジフードであっても、整流板に結露を発生させない（請求項８）。
【００２０】
その上、上昇気流を伴わずキッチンの人の動作、ドア開閉、空調整備等による微量な横風でも影響を受ける汚染空気をフード体に確実に誘動できる（請求項９）。
【００２１】
また、凹窪部背後のフード体内にチャンバーを形成し、該チャンバーから、前記凹窪部内に向けて乾燥用の風を送り出すように構成すると、凹窪部の背後空間を有効利用できるし、乾燥用の風の送り路が露呈しないので、シンプルなデザインを提供できるし（請求項１０）、凹窪部背後のフード体内にチャンバーを形成し、該チャンバーから、前記フード体に向けての乾燥用の風と、乾燥促進用の風とを送り出す構成にしたり、整流板への乾燥風の風や、横風干渉防止用の風とを送り出すように構成すると、請求項１０の効果に加えて、一つの送風源を使用して上昇気流を伴わない汚染空気に横風の影響を与えることなく、フード体に導くことができ、構造簡単である（請求項１１、１２、１３）。
【発明を実施するための最良の形態】
【００２２】
以下、本発明のＩＨクッキングヒータ用のレンジフードの実施の形態例を図１〜図８に基づいて説明すると、図１〜図５はその第１の実施の形態、図６はその第２の実施の形態を、更に図７は同第３の実施の形態、図８は同第３の実施の形態、更には図９は第４の実施の形態を各々示している。
【実施例１】
【００２３】
図１〜図５に基づいて説明すると、符号ＡはそのＩＨクッキングヒータ用のレンジフードである。各実施の形態では薄幅なタイプのレンジフードを示している。
このレンジフードＡは、下面を開放した扁平薄箱状のフード体１の天板部１１に排気手段２を設置し、その排気手段２を前方から立設された幕板３で隠し、下面開放部に凹窪部２１を設けてその凹窪部２１を加熱調理で発生した汚染空気の捕獲空間（汚染空気捕獲部）Ｓとし、その凹窪部２１の天面部（底面）に吸込口３１を開設して吸込口部材としてフィルタ４１を係脱可能に備え、その凹窪部２１の背後のフード体１内にチャンバー４を区画形成している。
【００２４】
前記凹窪部２１は、図１、図３に示すように側周面と天面部である底面とのコーナーに緩やかなガイド曲面２１ａを形成し、それに連続して前記吸込口３１を開口し、それにフィルタ４１を係脱可能に設けている。
【００２５】
前記チャンバー４は、図１、図３等に示すようにフィルタ４１とフード体１の天板部１１上の排気手段２とを連絡する連絡路５１を除いてフード体１内に凹窪部２１背後を覆うように形成されており、幕板３で隠れるように設けられた送風源（シロッコファン）５に連絡して、そのチャンバー４の前側部１４、左右側部２４、２４、後側部３４の長さ方向に沿って開孔した乾燥用の風の送り出し孔６と、その乾燥用の風の送り出し孔６とグリスフィルタ４１との間の凹窪部２１の凹面２１ｂ部分から沿うように乾燥促進用の風を送り出す乾燥促進用の風の送り出し孔９と、横風干渉防止用の風の送り出し孔７とから、内部を前記送風源５との共通連絡路にして乾燥用の風の流れＦ、乾燥促進用の風の流れＨ、横風干渉防止用の風の流れＤを各々送り出すようになっている。
【００２６】
前記送風源５は、図３に示すようにヒータ１５または除湿手段を備え、加熱したり、除湿してエアーを前記チャンバー４に圧送するようになっている。
ヒータ１５を使用すると、その加熱風でチャンバー４を介して凹窪部２１そのものが加熱されるため、結露の発生をより効果的に防止することができる。
ヒータの場合には、火災の発生を考慮すると、ＰＴＣヒータを使用するのが好ましいものである。
【００２７】
前記乾燥用の風の送り出し孔６と、乾燥促進用の風の送り出し孔９は、図２、図４に示す拡大図で示すように前記する凹窪部２１の側周面の下端部をチャンバー４内方に向けて切り起こして、前記凹窪部２１のその側周面下端部を始端とする凹面２１ｂに沿ってその風を送り出すように、図５に示すように帯状をもって開孔されている。
【００２８】
横風干渉防止用の風の送り出し孔７は、チャンバー４の下端面に開孔された等間隔な多数の小孔や帯状孔で形成され、同図２、図４に示す拡大図で示すように水平線に対して若干上向きになっている傾斜面２１ｃに開孔して、鉛直線に対して若干外側に向けて傾斜状（本実施の形態では５度〜２０度程度）に横風干渉防止流Ｄを送り出すようになっている。
【００２９】
斯様なレンジフードＡ直下には、そのレンジフードＡに対して若干前側の位置に調理器具としてＩＨクッキングヒータＢが配備されており、加熱調理で発生する水蒸気を含む汚染空気Ｃへの横風の干渉をその横風干渉防止用流Ｄで防止して、上昇するその汚染空気Ｃを前記凹窪部２１の捕獲空間（捕獲部）Ｓに案内し、更に、その凹面２１ｂ及びフィルタ４１を凹窪部２１のその側周面下端部から送り出される乾燥用の風の流れＦ、乾燥促進用の風の流れＨでその凹面２１ｂ及びそれに連続するフィルタ４１を加温し、湯気を付着しない境界層を形成して、結露しないように乾燥させる。
【実施例２】
【００３０】
次に図６に示す第２の実施の形態を説明すると、この実施の形態は、吸込口部材を排気手段２が下から目立たないようにするための目隠し板４１にした場合である。
この場合には、フィルタ機能を排気手段２を構成するシロッコファンのケーシング１２内面に形成した凹凸部とし、ケーシング１２下端に連通して係脱可能な受水部２２を設けている。
他の構成は前記する第１の実施の形態と同様であるため同一符号を付し、具体的な説明は省略する。
【実施例３】
【００３１】
次に図７に示す第３の実施の形態について説明すると、この実施の形態は、前記第１の実施の形態における凹窪部２１の開放縁４縁との間に吸込間隙Ｑ…を確保して整流板８を配設したＩＨクッキングヒータ用のレンジフードＡである。
この実施の形態は、前記乾燥用の風の送り出し孔６と、横風干渉防止用の風の送り出し孔７との間に整流板８に向けて乾燥用の風を送り出す構成にしてある。
【００３２】
即ち、前記チャンバー４において乾燥用の風の送り出し孔６を開孔した前側部１４下端の長さ方向やチャンバー４の後側部の長さ方向から整流板８の表面に向けて乾燥用の風を送り出す孔１６を、等間隔をおく多数個の小孔や帯状孔で形成して、そこから整流板８の表面に向けて乾燥用の風の流れＧを送り出すようにしている。
【００３３】
整流板８は、凹窪部２１の開放縁との間に確保された吸込間隙Ｑから流速を速めて、汚染空気Ｃを吸引させる目的と、フィルタ４１や目隠し板４１を隠蔽する目的を有する。
前記チャンバー４から整流板８の表面に向けて乾燥用の風の流れＦを前記送り出し孔１６から送り出すと、吸込間隙Ｑから流速を速めて吸い込まれる汚染空気Ｃと干渉して、汚染空気Ｃの吸込作用を妨害したり、その吸込作用で乾燥用の風の流れＧが整流板８の表面に到達せずに吸い込まれてしまう虞れが生じる。
そのため、この実施の形態では、整流板８の左右側縁に臨む吸込間隙Ｑ、Ｑ側には、前記送り出し孔１６を設けず、汚染空気Ｃの吸込は、左右の吸込間隙Ｑ、Ｑから行い、吸込間隙Ｑ、Ｑから吸い込まれる汚染空気Ｃの吸込力に打ち勝つ勢力の乾燥用の風の流れＧ、Ｇをチャンバー４の前側部１４下端及びチャンバー４の後側部下端から行って整流板８を乾燥するようにしている。
尚、レンジフードＡ直下に対して若干前側の位置に調理器具としてＩＨクッキングヒータＢが配備されているため、フード体１の後方側には、汚染空気Ｃの流れが少ないため、チャンバー４の後側部のみから吸込間隙Ｑから吸い込まれる汚染空気Ｃの吸込力に負けない勢力の乾燥用の風の流れＧを送り出して、整流板８での結露を回避するようにしても勿論良いものである。
【００３４】
横風干渉防止用の風の送り出し孔７は、整流板８の表面に向けての乾燥用の風の前記送り出し孔１６の外側から前記する実施の形態と同様に設けて、横風干渉防止流Ｄを生成するようになっている。
【００３５】
以上のように構成されているＩＨクッキングヒータ用のレンジフードＡは、前記する実施の形態にプラスして、整流板８での結露を防止することができる。
【実施例４】
【００３６】
更に、図８に示す第４の実施の形態について説明すると、この実施の形態は、整流板８を有する前記第３の実施の形態において、前記のようにフード体１の後方側への汚染空気Ｃの流れが少ないことに着目して、後方側の吸込間隙Ｑを無くし、その整流板８に臨むチャンバー４の後側部３４のみに整流板８の表面または両面への乾燥用の風の送り出し孔１６、１６を開孔したものである。
この構成では、チャンバー４の前側部１４、左右側部２４、２４から横風干渉防止流Ｄがカーテン流として送り出され、汚染空気Ｃは、整流板８の前縁、左右両縁に臨む吸込間隙Ｑ、Ｑから吸い込まれ、その吸込作用を受けないチャンバー４の後側部３４から整流板８表面または表裏面に向けて乾燥用風の流れＧを送り出すことができる。
【実施例５】
【００３７】
更に図９に示す第５の実施の形態について説明すると、この実施の形態は、前記第３、４の実施の形態における横風干渉防止用の風の送り出し孔７を設けていないものである。
【図面の簡単な説明】
【００３８】
【図１】第１の実施の形態のＩＨクッキングヒータ用のレンジフードの側面断面図。
【図２】図１の要部の拡大図。
【図３】図１の（3）-（3）線断面図。
【図４】図３の要部の拡大図。
【図５】底面図。
【図６】第２の実施の形態のＩＨクッキングヒータ用のレンジフードの正面断面図。
【図７】第３の実施の形態の要部の拡大断面図。
【図８】第４の実施の形態の要部の拡大断面図。
【図９】第５の実施の形態の要部の拡大断面図。
【符号の説明】
【００３９】
Ａ：レンジフード                      １：フード体
２１：凹窪部                            Ｓ：捕獲空間（捕獲部）
１１：天板部（フード体の天板部）      ３１：吸込口
２：排気手段                          ８：整流板
４１：フィルタ（吸込口部材）            ４：チャンバー
２１ｂ：凹面                          ２１ａ：ガイド曲面
６、１６：乾燥用の風の送り出し孔            ７：横風干渉防止用の風の送り出し孔
５：送風源                            Ｃ：汚染空気
Ｄ：横風干渉防止流                Ｆ、Ｇ：乾燥用の風の流れ
Ｂ：ＩＨクッキングヒータ              ９：乾燥促進用の風の送り出し孔
【図１】
2005214584.tif 000003
【図２】
2005214584.tif 000004
【図３】
2005214584.tif 000005
【図４】
2005214584.tif 000006
【図５】
2005214584.tif 000007
【図６】
2005214584.tif 000008
【図７】
2005214584.tif 000009
【図８】
2005214584.tif 000010
【図９】
2005214584.tif 000011